(57)【要約】【課題】  ＩＰ電話事業者のサービス対象外番号を記憶することなく、頻繁にＩＰ電話事業者のサービス対象外番号が変更されても、該記憶番号の更新をせず追従できるボタン電話装置を提供する。【解決手段】  ＩＰ電話事業者の回線と、ＮＴＴの回線とを収容し、外線発信時に前記ＩＰ電話事業者の回線を優先的に捕捉する機能Ｆ３２を備えたボタン電話主装置１０において、前記ＩＰ電話事業者の回線で外線発信したときに、被呼者に接続できず話中音を検出した場合、前記ＩＰ電話事業者の回線を開放する手段Ｆ３８と、ＮＴＴの回線を捕捉し前記被呼者に対し自動再発信する手段Ｆ３９とを備えた。【選択図】        図２
2005192040.tif 000002
【特許請求の範囲】
【請求項１】
複数の外線および複数の内線を有するボタン電話主装置と、前記内線に接続される複数のボタン電話機とからなるボタン電話装置において、
前記ボタン電話主装置が、
外線にＩＰ電話事業者の回線とＮＴＴの回線とを収容し、
外線発信時に前記ＩＰ電話事業者の回線を優先的に捕捉するＩＰ電話事業者の回線捕捉手段と、
前記ＩＰ電話事業者の回線で外線発信したときに、被呼者に接続できず話中音を検出した場合、前記ＩＰ電話事業者の回線を開放するＩＰ電話事業者の回線開放手段と、
前記ＩＰ電話事業者の回線開放後に前記ＮＴＴの回線を捕捉し前記被呼者に対し自動再発信するＮＴＴの回線捕捉手段と、
前記ＮＴＴの回線で外線発信したときには被呼者への前記自動再発信は行わない機能と
を備えたことを特徴とするボタン電話装置。
【請求項２】
請求項１記載のボタン電話装置において、
前記ＩＰ電話事業者の回線は、複数の異なるＩＰ電話事業者であることを特徴とするボタン電話装置。
【請求項３】
複数の外線および複数の内線を有するボタン電話主装置と、前記内線に接続される複数のボタン電話機とからなるボタン電話装置を構成するボタン電話主装置において、
外線にＩＰ電話事業者の回線とＮＴＴの回線とを収容し、
外線発信時に前記ＩＰ電話事業者の回線を優先的に捕捉するＩＰ電話事業者の回線捕捉手段と、
前記ＩＰ電話事業者の回線で外線発信したときに、被呼者に接続できず話中音を検出した場合、前記ＩＰ電話事業者の回線を開放するＩＰ電話事業者の回線開放手段と、
前記ＩＰ電話事業者の回線開放後に前記ＮＴＴの回線を捕捉し前記被呼者に対し自動再発信するＮＴＴの回線捕捉手段と、
前記ＮＴＴの回線で外線発信したときには被呼者への前記自動再発信は行わない機能と
を備えたことを特徴とするボタン電話主装置。
【請求項４】
請求項３記載のボタン電話主装置において、
前記ＩＰ電話事業者の回線は、複数の異なるＩＰ電話事業者であることを特徴とするボタン電話主装置。
【請求項５】
複数の外線および複数の内線を有するボタン電話主装置と、前記内線に接続される複数のボタン電話機とからなるボタン電話装置におけるサービス対象外番号に対する回線接続方法において、
ボタン電話主装置が、
外線にＩＰ電話事業者の回線とＮＴＴの回線とを収容し、
外線発信時に前記ＩＰ電話事業者の回線を優先的に捕捉するＩＰ電話事業者の回線捕捉手段と、
前記ＩＰ電話事業者の回線で外線発信したときに、被呼者に接続できず話中音を検出した場合、前記ＩＰ電話事業者の回線を開放するＩＰ電話事業者の回線開放手段と、
前記ＩＰ電話事業者の回線開放後に前記ＮＴＴの回線を捕捉し前記被呼者に対し自動再発信するＮＴＴの回線捕捉手段と、
前記ＮＴＴの回線で外線発信したときには被呼者への前記自動再発信は行わない機能とを備え、
ＩＰ電話事業者の回線に優先的に外線発信したときに話中音を検出すると、
ＩＰ事業者の回線とボタン電話機との間の通話路を開放するとともに、ＩＰ電話事業者の回線を切断し、
ボタン電話機に備えた対応する外線ランプを消灯させ、
ＮＴＴ回線の空きの有無を判断し、
ＮＴＴ回線の空きがあるときに、ＮＴＴ回線とボタン電話装置間の通話路を閉結し、
ＮＴＴ回線を捕捉し、
ボタン電話機の備えた対応する外線ランプを点灯させ、
ＮＴＴ回線へ発信する
ことを特徴とするサービス対象外番号に対する回線接続方法。
【発明の詳細な説明】
【技術分野】
【０００１】
本発明は、外線に、ＩＰ（Ｉｎｔｅｒｎｅｔ  Ｐｒｏｔｏｃｏｌ）電話事業者の回線と、ＮＴＴ（登録商標：東日本電信電話株式会社および西日本電信電話株式会社の総称）の回線とを収容するボタン電話装置およびサービス対象外番号に対する回線接続方法に関する。
【背景技術】
【０００２】
内線電話機から外線発信したときに、被呼者に接続できず話中音を検出した場合、話中音を検出してから一定時間経過後に自動的に外線を再捕捉し、前記被呼者に再発信する機能を備えた構内電話システムが提案されている（例えば、特許文献１参照）。
【０００３】
しかし、この構内電話システムでは、外線に収容した回線は、ＮＴＴ回線のように全てのサービスの対象となる電話番号に接続できる前提で構成されているため、ＩＰ電話事業者の回線を外線に収容したときには、１１０（警察）、１１９（消防）、０１２０（フリーダイヤル）、等のＩＰ電話事業者のサービス対象外番号に対しても、再捕捉→再発信→再捕捉…を無駄に繰り返すことになってしまう。
【０００４】
この解決方法としては、ＩＰ電話事業者のサービス対象外番号を記憶させておき、外線発信したときに被呼者の電話番号と該記憶番号の照合を行い、一致した場合はＮＴＴの回線を捕捉し直し、ＮＴＴの回線で外線発信する手段が容易に考えられる。但し、該手段ではＩＰ電話事業者のサービス対象外番号が変更された場合、該記憶番号の更新が必要となり、更新を人力で実施するには人手（工数）がかかり、更新を自動的（例えば、保守センターからのデータダウンロード）に実施するには設備投資・設備の運用が必要になってしまう。本明細書においては、ＩＰ電話事業者の回線またはＩＰ電話回線とは、サービスの対象外となる電話番号（例えば１１０（警察）１１９（消防）、０１２０（フリーダイヤル）等）がある例えばＩＰ電話事業者の電話回線をいい、ＮＴＴの回線またはＮＴＴ回線とは、全てのサービス対象に接続できる電話事業者の回線または前記ＩＰ電話回線に較べてサービス対象外番号が少ない電話回線をいう。
【０００５】
なお、ＩＰ電話事業者の回線は、通話料金が安価（同一ＩＰ電話事業者間の通話では無料としている）であるため、利用者としては外線発信する場合、優先的にＩＰ電話事業者の回線を捕捉するように構内電話システムを構成するのが一般的である。
【特許文献１】特開平１−２７３４７７号公報
【発明の開示】
【発明が解決しようとする課題】
【０００６】
上記問題に鑑み、本発明の目的は、ＩＰ電話事業者のサービス対象外番号を記憶することなく、頻繁にＩＰ電話事業者のサービス対象外番号が変更されても、該記憶番号の更新をせず追従できるようにし、利用者は通話料金が安価なＩＰ電話事業者の回線を優先的に捕捉して外線発信し、ＩＰ電話事業者のサービス対象外番号に外線発信したときには、自動的にＮＴＴ回線を捕捉して再発信することにある。
【課題を解決するための手段】
【０００７】
上記課題を解決するために、本発明は、複数の外線および複数の内線を有するボタン電話主装置と、前記内線に接続される複数のボタン電話機とからなるボタン電話装置において、前記ボタン電話主装置が、外線にＩＰ電話事業者の回線と、ＮＴＴ回線とを収容し、外線発信時に前記ＩＰ電話事業者の回線を優先的に捕捉するＩＰ電話事業者の回線捕捉手段と、前記ＩＰ電話事業者の回線で外線発信したときに、被呼者に接続できず話中音を検出した場合、前記ＩＰ電話事業者の回線を開放するＩＰ電話事業者の回線開放手段と、前記ＩＰ電話事業者の回線開放後に前記ＮＴＴ回線を捕捉し前記被呼者に対し自動再発信するＮＴＴ回線捕捉手段と、前記サービス対象外番号の少ない回線で外線発信したときには被呼者への前記自動再発信は行わない機能とを備えた。
【０００８】
また、本発明は、前記ＩＰ電話事業者の回線は、複数の異なるＩＰ電話事業者であることを特徴とするボタン電話装置を提供する。
【０００９】
複数の外線および複数の内線を有するボタン電話主装置と、前記内線に接続される複数のボタン電話機とからなるボタン電話装置におけるサービス対象外番号に対する回線接続方法において、ボタン電話主装置が、外線にＩＰ電話事業者の回線とＮＴＴの回線とを収容し、外線発信時に前記ＩＰ電話事業者の回線を優先的に捕捉するＩＰ電話事業者の回線捕捉手段と、前記ＩＰ電話事業者の回線で外線発信したときに、被呼者に接続できず話中音を検出した場合、前記ＩＰ電話事業者の回線を開放するＩＰ電話事業者の回線開放手段と、前記ＩＰ電話事業者の回線開放後に前記ＮＴＴの回線を捕捉し前記被呼者に対し自動再発信するＮＴＴの回線捕捉手段と、前記ＮＴＴの回線で外線発信したときには被呼者への前記自動再発信は行わない機能とを備え、ＩＰ電話事業者の回線に優先的に外線発信したときに話中音を検出すると、ＩＰ事業者の回線とボタン電話機との間の通話路を開放するとともに、ＩＰ電話事業者の回線を切断し、ボタン電話機に備えた対応する外線ランプ（当該ＩＰ電話事業者の回線ランプ）を消灯させ、ＮＴＴ回線の空きの有無を判断し、ＮＴＴ回線の空きがあるときに、ＮＴＴ回線とボタン電話装置間の通話路を閉結し、ＮＴＴ回線を捕捉し、ボタン電話機の備えた対応する外線ランプ（当該ＮＴＴの回線ランプ）を点灯させ、ＮＴＴ回線へ発信するようにした。
【発明の効果】
【００１０】
本発明によれば、ＩＰ電話事業者のサービス対象外番号を記憶することなく、頻繁にＩＰ電話事業者のサービス対象外番号が変更されても、該記憶番号の更新をせず当該サービス対象外番号に追従できる。また、利用者は通話料金が安価なＩＰ電話事業者の回線を優先的に捕捉して外線発信し、ＩＰ電話事業者のサービス対象外番号に外線発信したときには、自動的にＮＴＴ回線を捕捉して再発信することができるため、被呼者により操作方法を変える必要がなく、常に同じ操作方法で運用することができる。
【発明を実施するための最良の形態】
【００１１】
以下、本発明の実施形態について説明する。なお、以下の実施形態では、ボタン電話装置としてボタン電話主装置と該ボタン電話主装置に接続された有線式ボタン電話機を例にあげて説明する。しかし、本発明はこれに限定されない。例えば、有線式ボタン電話機の代わりに無線式ボタン電話機を用いることができる。また、本発明は、ボタン電話装置で実施するだけでなく、構内交換装置で実施してもよい。
【００１２】
図１は、本発明に係るボタン電話装置を構成するボタン電話主装置１０の構成概略図である。図２は本発明のボタン電話主装置１０の中央制御部１１と記憶部１６の機能ブロック図である。図３は本発明のボタン電話主装置１０の中央制御部１１内の話中音検出処理のフローチャートである。
【００１３】
まず、図１を用いてボタン電話装置の構成を説明する。ボタン電話装置は、ＩＰ電話事業者の回線（ＩＰ回線）と、ＮＴＴの回線（ＮＴＴ回線）に接続されたボタン電話主装置１０と、該ボタン電話主装置１０に接続された複数のボタン電話機２０−１〜２０−ｎとから構成される。なお、ボタン電話機２０−１〜２０−ｎは、公知の技術を使用できるため概略構成についての説明は省略する。
【００１４】
ボタン電話主装置１０は、中央制御部１１と、通話路スイッチ１２と、ＩＰ回線用のＩＰ外線回路１３−１〜１３−ｎと、ＮＴＴ回線用のＮＴＴ外線回路１４と、複数の内線回路１５−１〜１５−ｎと、記憶部１６と、話中音検出回路１７を有して構成される。
【００１５】
中央制御部１１は、ボタン電話主装置１０の各回路からの入力情報（ボタン電話機２０からの情報も含む）に対する解析や判断、記憶部１６に対する情報の入出力、各回路の制御を行う。
【００１６】
通話路スイッチ１２は、ボタン電話主装置１０内の交換処理（外線と内線の接続、話中音検出回路１７の外線への接続、他）を行う。
【００１７】
ＩＰ外線回路１３−１〜１３−ｎは、ＩＰ回線に接続されるインタフェース回路であり、通常はＬＡＮインタフェース（例えば、１０ＢＡＳＥ−Ｔ）を用いる。また、本実施例ではＩＰ外線回路は複数構成で説明しているが、ＩＰ回線は多重処理により１回線で複数の通話チャネルを有することが一般的になっている。なお、ＩＰ電話事業者によっては外部にＩＰ電話用アダプタを設置し、ボタン電話主装置との接続は、いわゆるＮＴＴ回線と同一インタフェースを取っている場合もあり、その場合でも本発明の技術範囲に含まれることは自明である。
【００１８】
ＮＴＴ回線回路１４は、ＮＴＴのいわゆる公衆電話回線に接続されるインタフェース回路である。本実施例では１回線として説明しているが、複数回線を収容できることは言うまでもない。
【００１９】
内線回路１５−１〜１５−ｎは、ボタン電話機２０−１〜２０−ｎと音声データ、制御データの通信を行うためのインタフェース回路である。
【００２０】
記憶部１６は、通常の記憶部としての働きの他に、ＩＰ回線に発信した被呼者の電話番号が記憶される。
【００２１】
話中音検出回路１７は、話中音（通常は約４００Ｈｚの信号が５００ミリ秒接、５００ミリ秒断の周期で送出される）を検出するための４００Ｈｚ信号検出回路であり、中央制御部１１よりの制御で通話路スイッチ１２を経由し、ＩＰ外線回路１３−１〜１３−ｎに接続される。本実施例では、ＩＰ外線回路１３−１〜１３−ｎとは別の回路ブロックとして説明するが、ＩＰ外線回路１３−１〜１３−ｎの内部に備えることでもよい。
【００２２】
次に、本発明に係るボタン電話主装置１０の中央制御部１１と、記憶部１６の機能構成を図２を用いて説明する。ボタン電話主装置１０は、少なくとも、データ送受信手段Ｆ３０と、外線発信検出手段Ｆ３１と、ＩＰ電話事業者の回線捕捉手段Ｆ３２と、ＩＰ外線回路制御手段Ｆ３３と、通話路制御手段Ｆ３４と、被呼者番号検出手段Ｆ３５と、被呼者番号記憶手段Ｆ３６と、話中音検出手段Ｆ３７と、ＩＰ電話事業者の回線開放手段Ｆ３８と、ＮＴＴの回線捕捉手段Ｆ３９と、ＮＴＴ外線回路制御手段Ｆ４０とを有して構成される。
【００２３】
データ送受信手段Ｆ３０は、内線回路１５を経由し、ボタン電話機２０との間で制御データの送受信を行っている。ボタン電話機２０より内線回路１５を経由して受信するデータとしては、外線発信のデータ、被呼者番号のデータ、等があり、各々、外線発信検出手段Ｆ３１、被呼者番号検出手段Ｆ３５へ渡している。また、内線回路１５を経由してボタン電話機２０へ送信するデータとしては、ＩＰ回線用外線ボタンのランプ点灯／消灯データ、ＮＴＴ回線用外線ボタンのランプ点灯／消灯データ、等があり、ＩＰ電話事業者の回線捕捉手段Ｆ３２よりＩＰ回線用外線ボタンのランプ点灯指示を受け、ＩＰ電話事業者の回線開放手段Ｆ３８よりＩＰ回線用外線ボタンのランプ消灯指示を受け、ＮＴＴの回線捕捉手段Ｆ３９よりＮＴＴ回線用外線ボタンのランプ点灯指示を受け、各々を内線回路１５を経由してボタン電話機２０へデータを送信している。
【００２４】
外線発信検出手段Ｆ３１は、ボタン電話機２０より内線回路１５を経由してデータ送受信手段Ｆ３０より受信したデータを解析し、外線発信の操作（例えば、待機状態で“０”ダイヤル押下）があったかを検出し、外線発信の操作であることを検出すると、外線を捕捉することをＩＰ電話事業者の回線捕捉手段Ｆ３２へ通知する。
【００２５】
ＩＰ電話事業者の回線捕捉手段Ｆ３２は、外線発信検出手段Ｆ３１より外線捕捉の通知を受けると、空きＩＰ外線回路を検索し、空きが有った場合、対応のＩＰ外線回路１３と外線発信の操作を行ったボタン電話機２０に対応する内線回路１５との間に通話パスを接続するよう通話路制御手段Ｆ３４へ指示する。また、対応のＩＰ外線回路１３を捕捉することをＩＰ外線回路制御手段Ｆ３３へ通知する。さらに、対応のＩＰ回線用外線ボタンのランプ点灯（使用中表示）をデータ送受信手段Ｆ３０に指示する。なお、空きＩＰ外線回路がなかった場合は、空きＮＴＴ外線回路を検索し、空きがあった場合はＮＴＴ外線回路を捕捉するようにＮＴＴ外線回路制御手段Ｆ４０に指示し、外線発信時にはＩＰ電話事業者の回線を優先的に捕捉する機能を有する。
【００２６】
ＩＰ外線回路制御手段Ｆ３３は、ＩＰ電話事業者の回線捕捉手段Ｆ３２からの通知を受け、被呼者番号検出手段Ｆ３５より通知された被呼者番号へ発信することをＩＰ外線回路１３に指示する。
【００２７】
通話路制御手段Ｆ３４は、ＩＰ電話事業者の回線捕捉手段Ｆ３２からの通話パス接続指示、ＩＰ電話事業者の回線開放手段Ｆ３８からの通話パス開放指示、ＮＴＴの回線捕捉手段Ｆ３９からの通話パス接続指示、等により通話路スイッチ１２を制御する。
【００２８】
被呼者番号検出手段Ｆ３５は、データ送受信手段Ｆ３０より受信したデータを解析し、被呼者番号を検出する。この場合の被呼者番号はボタン電話機２０より入力されたダイヤルの場合と、電話帳機能／短縮ダイヤル機能（図示していない）を使用しての番号検出の両方が含まれる。検出した被呼者番号はＩＰ外線回路制御手段Ｆ３３またはＮＴＴ外線回路制御手段Ｆ４０へ通知すると共に、記憶部１６内の被呼者番号記憶手段Ｆ３６に記憶する。
【００２９】
被呼者番号記憶手段Ｆ３６は、ボタン電話機２０毎に設けられており、ＮＴＴの回線捕捉手段Ｆ３９よりの指示で、記憶している被呼者番号をＮＴＴ外線回路制御手段Ｆ４０へ通知する。また、記憶されている被呼者番号は、ラストナンバーリダイヤル機能（図示していない）等にも使用される。
【００３０】
話中音検出手段Ｆ３７は、話中音検出回路１７が検出した４００Ｈｚ信号が、話中音の周期（５００ミリ秒接、５００ミリ秒断）になっているかを検出し、話中音を検出した場合は、ＩＰ電話事業者の回線開放手段Ｆ３８へ通知する。なお、話中音の周期を検出するのは、４００Ｈｚ信号は他の信号（例えば、ダイヤルトーン）にも使用されているためであることは周知である。
【００３１】
ＩＰ電話事業者の回線開放手段Ｆ３８は、話中音検出手段Ｆ３７より話中音の検出通知を受けると、対応の外線はＩＰ外線かを判定し、ＩＰ外線であった場合は、対応のＩＰ外線回路１３と対応の内線回路１５間の通話路開放指示を通話路制御手段Ｆ３４へ通知し、ＩＰ外線回路制御手段Ｆ３３へＩＰ外線の切断指示を通知すると共に、データ送受信手段Ｆ３０へ対応のＩＰ回線用外線ボタンのランプ消灯（待機状態表示）を指示し、ＮＴＴの回線捕捉手段Ｆ３９へＮＴＴ回線の捕捉を通知する。
【００３２】
ＮＴＴの回線捕捉手段Ｆ３９は、ＩＰ電話事業者の回線開放手段Ｆ３８からＮＴＴ回線の捕捉通知を受けると、空きＮＴＴ外線回路を検索し、空きが有った場合、対応のＮＴＴ外線回路１４と外線発信の操作を行っていたボタン電話機２０に対応する内線回路１５との間に通話パスを接続するよう通話路制御手段Ｆ３４へ指示する。また、被呼者番号記憶手段Ｆ３６に記憶されている被呼者番号の通知と共に、対応のＮＴＴ外線回路１４を捕捉し、発信することをＮＴＴ外線回路制御手段Ｆ４０へ通知する。さらに、対応のＮＴＴ回線用外線ボタンのランプ点灯（使用中表示）をデータ送受信手段Ｆ３０に指示する。なお、空きＮＴＴ外線回路がなかった場合は、ボタン電話機を待機状態にする。
【００３３】
ＮＴＴ外線回路制御手段Ｆ４０は、ＩＰ電話事業者の回線捕捉手段Ｆ３２またはＮＴＴの回線捕捉手段Ｆ３９からの通知を受け、被呼者番号検出手段Ｆ３５または被呼者番号記憶手段Ｆ３６から指示された被呼者番号へ発信することをＮＴＴ外線回路１４に指示する。
【００３４】
次に、図３を用いて、ボタン電話主装置１０の中央制御部１１内の処理を説明する。図３は、本発明に関する話中音検出後の処理であるＩＰ電話事業者の回線開放手段Ｆ３８とＮＴＴの回線捕捉手段Ｆ３９を図示してある。
【００３５】
話中音が検出された通知を受けたＩＰ電話事業者の回線開放手段Ｆ３８は、話中音が検出された回線は、ＩＰ電話事業者の回線か否かの判定を行う（Ｓ５０）。ＩＰ電話事業者の回線ではない場合は処理を終了する。ＩＰ電話事業者の回線であった場合は、ＩＰ外線回路１３とボタン電話機２０（内線回路１５）間の通話路開放指示を行う（Ｓ５１）。また、ＩＰ外線回路１３の切断指示を行う（Ｓ５２）。さらに、ボタン電話機２０へ対応外線ボタンのランプ消灯を指示して（Ｓ５３）、ボタン電話機に備えた当該外線ランプを消灯させる。
【００３６】
引き続き、ＮＴＴの回線捕捉手段Ｆ３９は、空きＮＴＴ回線が有るかの判定を行う（Ｓ５４）。空きが有った場合、対応のＮＴＴ外線回路１４と、外線発信の操作を行っていたボタン電話機２０に対応する内線回路１５との間の通話路接続指示を行う（Ｓ５５）。また、対応のＮＴＴ外線回路１４の捕捉指示を行い（Ｓ５６）。さらに、対応のＮＴＴ回線用外線ボタンのランプ点灯（使用中表示）指示を行い（Ｓ５７）、ボタン電話機に備えた当該ＮＴＴ回線用外線ランプを点灯させる。次に、被呼者番号記憶手段Ｆ３６に記憶されている被呼者番号をＮＴＴ外線回路１４へ通知し発信を指示する（Ｓ５８）。
【００３７】
ステップＳ５４で、空きＮＴＴ回線がなかった場合は、ボタン電話機を待機状態にする（Ｓ５９）。
【００３８】
なお、図示していないが、ＩＰ電話事業者の回線を使用した場合と、ＮＴＴの回線を使用した場合では通話料金に差が出ることがあるため、ボタン電話機２０へ通話料金の表示を行うことは自明である。
【図面の簡単な説明】
【００３９】
【図１】本発明に係るボタン電話主装置１０の構成概略図。
【図２】本発明に係る中央制御部１１と、記憶部１６の機能ブロック図。
【図３】本発明のボタン電話主装置１０の中央制御部１１内のフローチャート。
【符号の説明】
【００４０】
１０  ボタン電話主装置
１１  中央制御部
１２  通話路スイッチ
１３  ＩＰ外線回路
１４  ＮＴＴ外線回路
１５  内線回路
１６  記憶部
１７  話中音検出回路
２０  ボタン電話機
Ｆ３０  データ送受信手段
Ｆ３１  外線発信検出手段
Ｆ３２  ＩＰ電話事業者の回線捕捉手段
Ｆ３３  ＩＰ外線回路制御手段
Ｆ３４  通話路制御手段
Ｆ３５  被呼者番号検出手段
Ｆ３６  被呼者番号記憶手段
Ｆ３７  話中音検出手段
Ｆ３８  ＩＰ電話事業者の回線開放手段
Ｆ３９  ＮＴＴの回線捕捉手段
Ｆ４０  ＮＴＴ外線回路制御手段
【図１】
2005192040.tif 000003
【図２】
2005192040.tif 000004
【図３】
2005192040.tif 000005